(57)【特許請求の範囲】
【請求項１】
ロントークプロトコルに従った通信制御により、ラックに収容された装置の稼働状況を検出する稼働状況検出器を制御する分散制御装置と、該分散制御装置とネットワークを介して接続する、前記装置の稼働状態を監視する監視装置とを備える装置監視システムであって、
前記分散制御装置は、
被制御対象である装置から、該装置の稼働状態を監視する内容を示す監視情報を取得する監視情報取得手段と、
前記ラックの扉の開閉を検出する開閉検出手段と、
前記監視情報取得手段により取得した前記監視情報を、前記ネットワークを介して前記監視装置に供給する監視情報供給手段と、
前記開閉検出手段が検出内容を示す検出情報を、前記ネットワークを介して前記監視装置に供給する検出情報供給手段と、
を具備し、
前記監視装置は、
前記分散制御装置より供給された前記監視情報を前記ネットワークを介して取得する監視情報取得手段と、
前記分散制御装置より供給された前記検出情報を前記ネットワークを介して取得する検出情報取得手段と、
前記監視情報取得手段により取得した前記監視情報をもとにして、装置の稼働状態を検出する稼働状態検出手段と、
を備え、
前記分散制御装置は、前記検出情報供給手段が供給した前記検出情報に応じた前記監視装置からの指示に基づいて、前記ラックの扉を開閉制御する開閉制御手段をさらに備える、
ことを特徴とする装置監視システム。
【請求項２】
前記分散制御装置は、
前記監視装置より供給された、前記装置の稼働状態に対する警告を出力するための閾値を取得する閾値取得手段と、
前記監視情報取得手段より取得した監視情報が、閾値取得手段により取得した前記閾値以上又は以下である場合には、前記装置の稼働状態に対する警告を示す警告情報を前記監視装置に供給する警告情報供給手段と、
を具備し、
前記監視装置は、
前記閾値を設定する閾値設定手段と、
前記閾値設定手段により設定された前記閾値を前記分散制御装置に供給する閾値供給手段と、
前記分散制御装置より供給された前記警告情報を取得する警告情報取得手段と、
前記警告情報取得手段により、前記警告情報を取得すると、警告の対象である装置を示す情報を表示する警告表示手段と、
備える、
ことを特徴とする請求項１に記載の装置監視システム。
【請求項３】
前記監視装置は、
前記警告情報取得手段により前記警告情報を取得すると、取得した警告情報をもとにして、該警告の履歴を示す警告履歴データを生成する警告履歴データ生成手段と、
前記警告履歴データ生成手段により生成された前記警告履歴データを記憶手段に書き込む警告履歴データ書込み手段と、
を備える、
ことを特徴とする請求項２に記載の装置監視システム。
【請求項４】
前記監視装置は、
前記稼働状態検出手段により検出した被監視装置の前記監視情報をもとにして、監視情報のトレンドを表示するトレンド表示手段、
を備える、
ことを特徴とする請求項１乃至３のいずれかに記載の装置監視システム。
【請求項５】
前記監視情報は、前記ラックに収容されている装置に供給された電流値、又は前記ラック内の温度である、
ことを特徴とする請求項１乃至４のいずれか１項に記載の装置監視システム。
【請求項６】
ラック内に設けられた装置の稼働状況を検出する稼働状況検出器から、該装置の稼働状態を監視する内容を示す監視情報を、ロントークプロトコルに従った通信制御により取得し、
前記ラックの扉の開閉を示す情報を、ロントークプロトコルに従った通信制御により、前記監視情報として取得し、
取得した前記監視情報をもとにして、装置の稼働状態を検出し、
取得した前記監視情報をもとにして、前記ラックの扉を開閉制御する、
ことを特徴とする装置監視方法。
【請求項７】
前記装置の稼働状態に対する警告を出力するための閾値を設定し、
取得した前記監視情報が、設定した前記閾値以上又は以下である場合には、前記装置の稼働状態に対する警告を示す警告情報を表示する、
ことを特徴とする請求項６に記載の装置監視方法。
【請求項８】
前記警告情報を取得すると、取得した警告情報をもとにして、該警告の履歴を示す警告履歴データを生成し、
生成した前記警告履歴データを記憶手段に書き込む、
ことを特徴とする請求項７に記載の装置監視方法。
【請求項９】
検出した被監視装置の前記監視情報をもとにして、監視情報のトレンドを表示する、
ことを特徴とする請求項６乃至８のいずれかに記載の装置監視方法。
【発明の詳細な説明】
【０００１】
【発明の属する技術分野】
この発明は、データセンタに設置されているサーバ、通信装置等の装置の稼働状態を監視する装置監視システム、装置監視方法、及びプログラムに関する。
【０００２】
【従来の技術】
近年、一般人も広くインターネットを利用する程にインターネットが普及している。このように、インターネットが一般人にも普及するようになったのは、インターネットへの接続サービスを行うインターネットプロバイダに負うところが大きい。
インターネットプロバイダは、インターネット接続サービスを行うためには、メールサーバ、データベースサーバ、課金サーバ等の種々のサーバ、通信制御装置等の各種の装置が必要であり、これらの装置は、データセンタに設置され、２４時間、一年中、停止することなく稼働しなければならない。
従って、これらの装置は、高いレベルでの運用状態を監視する必要が求められる。
【０００３】
【発明が解決しようとする課題】
しかしながら、データセンタにおいて、従来から行われてきた各種のサーバ、通信制御装置等の装置に対する監視は、専任者等がサーバ等の装置の稼働状態を人的作業により監視する方法しか取っていなかった。
このため、装置を監視するための人件費がかかり、データセンタの運用費が嵩むとともに、決して効率がよい監視の仕方とはいえないという問題点があった。
【０００４】
この発明は、上述した問題点に鑑み、データセンタに設置されている設備装置を効率的に監視することができる装置監視システム、装置監視方法、及びプログラムを提供することを目的とする。
また、この発明は、データセンタに要する運用管理に要する費用を削減することができる装置監視システム、装置監視方法、及びプログラムを提供することを目的とする。
【０００５】
【課題を解決するための手段】
上記目的を達成するために、この発明の第１の観点にかかる装置監視システムは、
ロントークプロトコルに従った通信制御により、ラックに収容された装置の稼働状況を検出する稼働状況検出器を制御する分散制御装置と、該分散制御装置とネットワークを介して接続する、前記装置の稼働状態を監視する監視装置とを備える装置監視システムであって、
前記分散制御装置は、
被制御対象である装置から、該装置の稼働状態を監視する内容を示す監視情報を取得する監視情報取得手段と、
前記ラックの扉の開閉を検出する開閉検出手段と、
前記監視情報取得手段により取得した前記監視情報を、前記ネットワークを介して前記監視装置に供給する監視情報供給手段と、
前記開閉検出手段が検出内容を示す検出情報を、前記ネットワークを介して前記監視装置に供給する検出情報供給手段と、
を具備し、
前記監視装置は、
前記分散制御装置より供給された前記監視情報を前記ネットワークを介して取得する監視情報取得手段と、
前記分散制御装置より供給された前記検出情報を前記ネットワークを介して取得する検出情報取得手段と、
前記監視情報取得手段により取得した前記監視情報をもとにして、装置の稼働状態を検出する稼働状態検出手段と、
を備え、
前記分散制御装置は、前記検出情報供給手段が供給した前記検出情報に応じた前記監視装置からの指示に基づいて、前記ラックの扉を開閉制御する開閉制御手段をさらに備える、
ことを特徴とする。
【０００６】
このような構成によれば、データセンタに設置されている装置を効率的に監視することができる。また、データセンタに要する運用管理に要する費用を削減することができる。
【０００７】
前記分散制御装置は、
前記監視装置より供給された、前記装置の稼働状態に対する警告を出力するための閾値を取得する閾値取得手段と、
前記監視情報取得手段より取得した監視情報が、閾値取得手段により取得した前記閾値以上又は以下である場合には、前記装置の稼働状態に対する警告を示す警告情報を前記監視装置に供給する警告情報供給手段と、
を具備し、
前記監視装置は、
前記閾値を設定する閾値設定手段と、
前記閾値設定手段により設定された前記閾値を前記分散制御装置に供給する閾値供給手段と、
前記分散制御装置より供給された前記警告情報を取得する警告情報取得手段と、
前記警告情報取得手段により、前記警告情報を取得すると、警告の対象である装置を示す情報を表示する警告表示手段と、
備えるようにしてもよい。
これにより、稼働状態が異常と思われる装置を早急に知ることができる。
【０００８】
前記監視装置は、
前記警告情報取得手段により前記警告情報を取得すると、取得した警告情報をもとにして、該警告の履歴を示す警告履歴データを生成する警告履歴データ生成手段と、
この警告履歴データ生成手段により生成された前記警告履歴データを記憶手段に書き込む警告履歴データ書込み手段と、
を備えるようにしてもよい。
これにより、稼働状態が異常を示した装置について、その原因を知るための資料を収集することができる。
【０００９】
前記監視装置は、
前記稼働状態検出手段により検出した被監視装置の前記監視情報をもとにして、監視情報のトレンドを表示するトレンド表示手段、
を備えるようにしてもよい。
これにより、稼働状態が異常を示した装置について、その原因を知るための資料を収集することができる。
【００１０】
前記監視情報は、前記ラックに収容されている装置に供給された電流値、又は前記ラック内の温度であるようにしてもよい。
【００１１】
また、この発明の第２の観点に係る装置監視方法は、
ラック内に設けられた装置の稼働状況を検出する稼働状況検出器から、該装置の稼働状態を監視する内容を示す監視情報を、ロントークプロトコルに従った通信制御により取得し、
前記ラックの扉の開閉を示す情報を、ロントークプロトコルに従った通信制御により、前記監視情報として取得し、
取得した前記監視情報をもとにして、装置の稼働状態を検出し、
取得した前記監視情報をもとにして、前記ラックの扉を開閉制御する、
ことを特徴とする。
【００１２】
このような構成によれば、データセンタに設置されている設備装置を効率的に監視することができる。また、データセンタに要する運用管理に要する費用を削減することができる。
【００１３】
前記装置の稼働状態に対する警告を出力するための閾値を設定し、
取得した前記監視情報が、設定した前記閾値以上又は以下である場合には、前記装置の稼働状態に対する警告を示す警告情報を表示するようにしてもよい。
これにより、稼働状態が異常と思われる装置を早急に知ることができる。
【００１４】
前記警告情報を取得すると、取得した警告情報をもとにして、該警告の履歴を示す警告履歴データを生成し、
生成した前記警告履歴データを記憶手段に書き込むようにしてもよい。
これにより、稼働状態が異常を示した装置について、その原因を知るための資料を収集することができる。
【００１５】
検出した被監視装置の前記監視情報をもとにして、監視情報のトレンドを表示するようにしてもよい。
これにより、稼働状態が異常を示した装置について、その原因を知るための資料を収集することができる。
【００１６】
また、この発明の第３の観点に係るプログラムは、
ラック内に設けられた装置の稼働状況を検出する稼働状況検出器から、該装置の稼働状態を監視する内容を示す監視情報を、ネットワークを介して取得する手順、
前記ラックの扉の開閉を示す情報を、前記監視情報として前記ネットワークを介して取得する手順、
取得した前記監視情報をもとにして、装置の稼働状態を検出する手順、
取得した前記監視情報をもとにして、前記ラックの扉を開閉制御する手順、
をコンピュータに実行させる。
【００１７】
このような構成によれば、データセンタに設置されている設備装置を効率的に監視することができる。また、データセンタに要する運用管理に要する費用を削減することができる。
【００１８】
【発明の実施の形態】
以下、この発明の実施の形態に係る装置監視システムを説明する。
【００１９】
図１は、この発明の実施の形態に係る装置監視システムの構成を示すブロック図である。
この実施形態の装置監視システムは、インターネットデータセンタに設置されている複数のラック内に収容されている、各種のサーバ、通信制御機器等からなる装置の稼働状態を監視するシステムである。
装置の稼働状態を監視する項目として、各ラックに流れる電流値、各ラックの温度、ラックの扉の開閉状態等がある。
【００２０】
この実施形態の設備装置監視システムは、図１に示すように、監視装置１０と、第１フロアから第ｎフロアのそれぞれに設置されている複数のラック１５に収容されている分散制御装置１１とから構成されている。
なお、第１フロアにはｉ個のラック１５、第２フロアにはｋ個のラック１５、・・・、第ｎフロアにはｍ個のラック１５が設置されている。
【００２１】
監視装置１０、各分散制御装置１１は、ネットワーク１４に接続されている。
【００２２】
監視装置１０と各分散制御装置１１とは、ＴＣＰ／ＩＰ（Transmission Control Protocol／Internet Protocol)又はロントークプロトコル（Lon Talk Protocol）により情報を伝送する。
【００２３】
監視装置１０は、図２に示すように、制御部１０１と、主記憶部１０２と、入力部１０３と、表示部１０４と、通信制御部１０５と、タイマ１０６と、外部記憶部１０７とから構成されており、各部は内部バス１０８に接続されている。
【００２４】
制御部１０１は、ＣＰＵ（Central Processing Unit)等を備え、主記憶部１０２に記憶されている制御プログラムを実行することで、分散制御装置１１から入力され制御情報をもとにして、設備装置の監視する。
主記憶部１０２は、ＲＡＭ（Random  Access  Memory）等により構成され、上記制御プログラムを記憶するとともに、制御部１０１のワークエリアとして使用される。
入力部１０３は、キーボード、マウス等を備え、操作者の操作により押下されたキーボードの押下信号、マウスの操作信号を制御部１０１に出力する。
表示部１０４は、ＣＲＴ（Cathode Ray Tub)、液晶表示装置等により構成され、制御部１０１から出力された表示データ等を表示する。
【００２５】
通信制御部１０５は、ネットワーク１４を介して各分散制御装置１１との間の通信を制御する。
タイマ１０６は、計時情報を制御部１０１に出力する。
【００２６】
外部記憶部１０７は、ハードディスク装置等を備え、制御データＤＢ１０７ａと、警告ログＤＢ１０７ｂと、閾値設定リスト１０７ｃと、フロア図記憶ファイル１０７ｄと、表示データ記憶ファイル１０７ｅとを備えている。
【００２７】
制御データＤＢ１０７ａは、図３に示すように、ラック１５に収容されている装置の稼働状態を示す制御データを記憶する。
上記制御データは、ラックＮｏ、制御データを受信した時刻、当該ラックに設置されている電流センサから受けた電流値、当該ラック１５に設置されている温度センサから入力された温度、及び扉の開閉状態からなるデータ項目を備える。
【００２８】
警告ログＤＢ１０７ｂは、図４に示すように、各分散制御装置１１より受信した警告情報を示す警告データを記憶する。
上記警告データは、警告を発した分散制御装置１１を収容するラック番号（ラックＮｏ）、警告データを受けた時刻、その時の電流値、及びラック１５内の温度からなるデータ項目を備える。
【００２９】
閾値設定リスト１０７ｃは、図５に示すように、分散制御装置１１が警告データを出力するための閾値を指定するデータ（以下、閾値データという）が記憶されている。
上記閾値データは、設備装置を収容するラックＮｏ、電流値の閾値、及び温度の閾値からなるデータ項目を備えている。
【００３０】
フロア図記憶フィアル１０７ｄは、図６に示すように、各フロアに設置されているラック１５の配置を示すフロア図を記憶する。
【００３１】
表示データ記憶ファイル１０７ｅは、表示部１０４に表示される、後述する表示画面を生成するための表示データを記憶する。
【００３２】
図１に示す分散制御装置１１は、タスクスケジューリングがイベント駆動型であり、各ラック１５に設置される。
上記分散制御装置１１は、図７に示すように、ニューロンチップ１１１、ＲＡＭ１１２、ＲＯＭ（Read Only Memory）１１３、ＲＴＣ(Real Time Clock)１１４、トランシーバ１１５、Ａ／Ｄコンバータ１１６、リレー制御回路１１７、入出力回路１１８、電流警告点灯ＬＥＤ１１９、及び温度警告点灯ＬＥＤ１２０を備えている。
【００３３】
ニューロンチップ１１１は、ロンワークス（Lon Works）専用のマイクロコンピュータであり、ニューロンＣで記述された制御プログラムに従って、後述する処理を実行する。
【００３４】
ＲＡＭ１１２は、ニューロンチップが情報を送受信する際のバッファとなるとともに、情報をＬＡＮ上に送信する際に必要となる、出力変数、入力変数等のネットワーク変数を記憶する。
ＲＯＭ（Read Only Memory）１１３は、上記制御プログラムを記憶する。
ＲＴＣ(Real Time Clock)１１４は、回路のタイミングをとるため一定周期の信号を発生する。
【００３５】
トランシーバ１１５は、ロントークプロトコル上で伝送されるロントークパケットのみを取り出し、ノイズをカットしてきれいなパルスにするとともに、パルスを増幅する。
【００３６】
Ａ／Ｄコンバータ１１６は、アナログ信号をデジタル信号に変化する。
リレー制御回路１１７は、ラックの扉の開閉を行う電磁ロックの電源を入れたり切ったりするリレーを制御する回路である。
入出力回路１１８は、温度センサにより測定された電流値、装置に流れる電流値、リミットスイッチに流れる電流の入出力を制御する。
【００３７】
電流警告点灯ＬＥＤ１１９は、分散制御装置１１の前面の表示パネルに設置され、電流が所定の基準値以上に流れた場合に表示される。
温度警告点灯ＬＥＤ１２０は、分散制御装置１１の前面の表示パネルに設置され、温度が所定の基準値以上の場合に表示される。
【００３８】
次に、この実施形態に係る装置監視システムの動作を、１）電流及び温度についての閾値を設定する動作、２）電流又は温度を監視する動作、３）電流又は温度が所定の閾値を超えたときに処理する動作、４）ラックの扉の開閉を行う電磁ロック、ラックの扉の開閉を検知するリミットスイッチを制御する、いわゆる汎用外部機器制御を行う動作に分けて説明する。
【００３９】
１）電流及び温度について所定の閾値を設定する動作について、
図８は、この実施形態に係る装置監視システムを構成する各分散制御装置１１に、電流及び温度についての閾値を設定する動作を示すフローチャートである。
【００４０】
インターネットデータセンタの管理者（以下、管理者という）は、処理選択画面５００を表示部１０４に表示させ指示を入力部１０３に入力する。すると、監視装置１０は、外部記憶部１０７の表示データ記憶ファイル１０７ｅに記憶されている処理選択画面５００を表示させる表示データを読み出し、読み出した表示データを表示部１０４に出力する。
【００４１】
上記処理選択画面５００は、図９（ａ）に示すように、上記選択内容表示欄５０１と、「ＯＫ」ボタン５０２とを備える。
上記選択内容表示欄５０１は、１）閾値を設定するための閾値設定処理表示欄、２）ラック１５に収容されている装置に流れる電流値又はラック１５内の温度のトレンドするためのトレンド処理表示欄、３）ラック１５に収容されている装置に流れる電流、又はラック内の温度が異常のときに警告処理をするための警告処理表示欄、及び４）各ラック１５の扉の開閉を検知するための扉開閉検知処理表示欄を備えている。
【００４２】
表示部１０４は、上記表示データを受けると、処理選択画面５００を表示する（ステップＳ１）。その後、管理者の操作により、処理選択画面５００中の処理選択内容表示欄５０１に表示されている「閾値設定処理」がクリックされたのち、「ＯＫ」ボタン５０２がクリックされると、監視装置１０の入力部１０３は、「閾値設定処理欄」がクリックされたことを制御部１０１に出力する（ステップＳ２）。
【００４３】
制御部１０１は、「閾値設定処理欄」がクリックされたことを入力すると、予め記憶されている外部記憶部１０７の表示データ記憶ファイル１０７ｅから、図９（ｂ）に示す閾値設定処理表示画面５５０を表示させる表示データを読み出し、読み出した当該表示データを表示部１０４に出力する。すると、表示部１０４は、閾値設定処理表示画面５５０を表示する（ステップＳ３）。
【００４４】
図９（ｂ）に示す閾値設定処理表示画面５５０は、１）フロア番号を入力するフロアＮＯ入力欄５５１と、２）ラック番号を入力するラック番号入力欄５５２と、３）所定の電流以上に電流が流れたときに、当該分散制御装置１１が警告信号を出力するときの閾値電流値を入力する閾値電流値入力欄５５３と、４）所定の温度以上に温度が上がったときに、警告信号を出力する閾値温度値を入力する閾値温度値入力欄５５４と、５）「ＯＫ」ボタン５５５を備えている。
【００４５】
その後、管理者の操作により、表示部１０４に表示された閾値設定処理表示画面５５０中のフロアＮＯ入力欄５５１、ラック番号入力欄５５２、閾値電流値入力欄５５３、及び閾値温度値入力欄５５４のそれぞれに、フロア番号、ラック番号、閾値電流値、閾値温度値が入力され、「ＯＫ」ボタン５５５がクリックされると、表示部１０４は、入力されたフロア番号、ラック番号、閾値電流値、及び閾値温度を制御部１０１に出力する。
【００４６】
制御部１０１は、表示部１０４より、フロア番号、ラック番号、閾値電流値、及び閾値温度値を受けると、図５に示す閾値設定リスト１０７ｃに登録する（ステップＳ４）。
その後、制御部１０１は、該当するフロア番号でかつ当該ラック番号のラックに設置されている分散制御装置１１に閾値電流値、及び閾値温度値を出力する（ステップＳ５）。
【００４７】
当該フロア番号でかつラック番号で指定された分散制御装置１１のニューロンチップ１１１は、トランシーバ１１５を介して、上記閾値電流値と上記閾値温度値が入力されると、入力された閾値電流値と閾値温度値とを、ＲＡＭ１１２に記憶する（ステップＳ６）。その後、ニューロンチップ１１１は、閾値電流値と閾値温度値と受け取った受けた旨をトランシーバ１１５を介して、監視装置１０に送信し（ステップＳ７）、処理を終了する。
【００４８】
２）電流、温度をトレンドする動作について、
図１０は、この実施形態に係る装置監視システムが、ラック１５に流れる電流及び温度をトレンドする動作を示すフローチャートである。
管理者は、処理選択画面５００を表示部１０４に表示させ指示を入力部１０３に入力する。すると、監視装置１０は、外部記憶部１０７に記憶されている処理選択画面５００を表示部１０４に表示させる表示データを読み出し、読み出した表示データを表示部１０４に出力する。
【００４９】
表示部１０４は、上記表示データを受けると、処理選択画面５００を表示する（ステップＳ１１）。その後、管理者の操作により、処理選択画面５００中の選択内容表示欄５０１に表示されている「トレンド処理欄」がクリックされたのち、「ＯＫ」ボタン５０２がクリックされると、監視装置１０の入力部１０３は、「トレンド処理欄」がクリックされたことを制御部１０１に出力する（ステップＳ１２）。
【００５０】
制御部１０１は、予め外部記憶部１０７中の表示データ記憶ファイル１０７ｅから、トレンド処理表示画面６００を表示させる表示データを読み出し、読み出した表示データを表示部１０４に出力する。すると、表示部１０４は、図１１に示すトレンド処理表示画面６００を表示する（ステップＳ１３）。
【００５１】
上記トレンド処理表示画面６００は、１）フロア番号を入力するフロアＮＯ入力欄６０１、２）ラック番号を入力するラックＮＯ入力欄６０２、３）電流をトレンドするときにクリックする「はい」ボタン６０３、４）そうではないときにクリックする「いいえ」ボタン６０４、５）電流をトレンドする期間を入力するトレンド期間入力欄６０５、６０６、６）温度をトレンドするときにクリックする「はい」ボタン６０７、７）そうではないときにクリックする「いいえ」ボタン６０８、８）温度をトレンドする期間を入力するトレンド期間入力欄６０９、６１０、９）「ＯＫ」ボタン６１１を備えている。
【００５２】
管理者の操作により、トレンド処理表示画面６００に表示されている上記入力欄６０１、６０２等の必要箇所が入力され、及び「はい」ボタン６０３、６０７、「いいえ」ボタン６０４、６０８の該当個所がクリックされたのち、「ＯＫ」ボタン６１１がクリックされると、表示部１０４は、上記入力内容を制御部１０１に出力する。
【００５３】
制御部１０１は、表示部１０４より上記入力内容を入力すると、当該フロア番号にある当該ラック番号のラックに設置されている分散制御装置１１に、トレンド対象としての電流、または温度を、所定期間トレンドするようにとのトレンド指示データを出力する（ステップＳ１４）。
【００５４】
分散制御装置１１のニューロンチップ１１１は、上記フロア番号、上記ラック番号、トレンド対象としての電流又は温度、及びトレンドする期間を示すトレンド指示データ（図示せず）を受信すると、トレンド指示データをＲＡＭ１１２に記憶する（ステップＳ１５）。
【００５５】
その後、ニューロンチップ１１１は、Ａ／Ｄコンバータ１１６を介して電流センサ（ＣＴセンサ）からラックに流れている電流値と、温度センサからラック内の温度を取得する（ステップＳ１６）。
なお、Ａ／Ｄコンバータ１１６は、電流センサから入力された電流を示すアナログ信号と、温度センサから入力された温度を示すアナログ信号とをデジタル信号に変換し、変換した電流と温度のデジタル信号をニューロンチップ１１１に出力する。
【００５６】
ニューロンチップ１１１は、取得した電流と温度とのデジタル信号を取得すると、トランシーバ１１５を介して、電流と温度と示すトレンドデータ（図示せず）を生成し、生成したトレンドデータを監視装置１０に送信する（ステップＳ１７）。
【００５７】
監視装置１０は、受信したトレンドデータを受信すると、トレンドデータをもとにして、電流についてのトレンド表示データ、及び温度についてのトレンド表示データを生成し、生成したこれらの表示データを表示部１０４に出力する。
【００５８】
表示部１０４は、受けた電流についてのトレンド表示データ、又は温度についてのトレンド表示データを、図１２に示す電流又は温度についてのトレンド表示画面６５０に展開する。
【００５９】
以後、監視装置１０は、レンド期間が経過するまで、分散制御装置１１からトレンドデータを取得し、取得したトレンドデータをもとにして表示部１０４に上記電流及び温度についてのトレンド表示画面を表示し（ステップＳ１８）、処理を終了する。
【００６０】
３）電流、温度が所定の閾値を超えたときに処理する動作について、
図１３は、この実施形態に係る装置監視システムが、あるラック１５が電流、温度が所定の閾値を超えたときに処理する動作を示すフローチャートである。
【００６１】
分散制御装置１１のニューロンチップ１１１は、所定時間間隔ごとに、各ラックに設置されている電流センサ又は温度センサより、電流値又は温度をＡ／Ｄコンバータ１１６を介して取得する（ステップＳ２１）。
【００６２】
制御部１０１のニューロンチップ１１１は、取得した電流値又は温度値が、ＲＡＭ１１２に記憶されている閾値電流値又は閾値温度値を超えているか否かを判断する（ステップＳ２２）。ニューロンチップ１１１は、取得した電流値又は温度値が、ＲＡＭ１１２に記憶されている閾値電流値又は閾値温度値以下であると判断した場合には（ステップＳ２２；ＮＯ）、ステップＳ３１に移行し、上述したと同様な処理を続行する。
一方、ニューロンチップ１１１は、取得した電流値又は温度値が、ＲＡＭ１１２に記憶されている閾値電流値又は閾値温度値を超えていると判断した場合には（ステップＳ２２；ＹＥＳ）、当該フロア番号、当該ラック番号、計測した電流値または温度値をトランシーバ１１５を介して、監視装置１０に送信する（ステップＳ２３）。
【００６３】
監視装置１０の制御部１０１は、当該フロア番号、ラック当該ラック番号、電流値または温度値を受信すると、これらの情報と、受信した時刻を備える警告ログデータを生成し、生成した警告ログデータを外部記憶部１０７中の警告ログＤＢ１０７ｂに記憶する（ステップＳ２４）。
【００６４】
次に、制御部１０１は、外部記憶部１０７の表示データ記憶ファイル１０７ｅから図１４（ａ）に示す警告表示画面７００を表示させる表示データを読み出し、読み出した表示データを表示部１０４に出力する。
その後、表示部１０４は、上記表示データを受けると、警告表示画面７００を表示する（ステップＳ２５）。
【００６５】
上記警告表示画面７００は、警告を表示する警告表示欄７０１と、警告の対象となるラックの位置を表示させたい場合に入力するラック位置表示入力欄７０２を備えている。
【００６６】
操作者の操作により、表示部１０４に表示されている警告表示画面７００中のラック位置表示入力欄７０２がクリックされると、監視装置１０の制御部１０１は、外部記憶部１０６中の表示データ記憶ファイル１０６から、図１４（ｂ）に示す、警告を発したラックを示すラック位置表示画面７５０を表示させる表示データを読み出し、読み出した表示データを表示部１０４に出力する。
【００６７】
表示部１０４は、制御部１０１から上記表示データを受けると、ラック位置表示画面を表示し（ステップＳ２６）、処理を終了する。
【００６８】
上記位置表示画面は、図１４（ｂ）に示すように、警告を発したラックの情報が表示する表示欄７５１、７５２、警告の対象を表示する警告対象表示欄７５３、警告対象が示している値を表示する警告値表示欄７５４，７５５を備えている。
【００６９】
なお、分散制御装置１１は、警告を発したときは、パネル（図示せず）に設けられている警告対象を示す電流警告点灯ＬＥＤ１１９又は温度警告点灯ＬＥＤ１２０が発光するとともに、アラームが鳴る。
また、分散制御装置１１は、ラック１５に設けられているファンが稼働させる信号を出力する。
【００７０】
４）汎用外部機器の制御を示す動作について、
図１５は、この実施形態に係る設備装置監視システムが、汎用外部機器を制御する動作を示すフローチャートである。
ここで、汎用外部機器を制御する動作を具体的に説明するため、リミットスイッチがラックの扉の開閉を検知し、扉が開いていると検知した場合に、電磁ロックを稼働させて扉を閉じる動作について説明する。
【００７１】
入出力回路１１８は、リミットスイッチからラック１５の扉が閉じられていることを示す電流が途絶えると、その旨をニューロンチップ１１１に出力する（ステップＳ３１）。
すると、ニューロンチップ１１１は、トランシーバ１１５を介して監視装置１０に、ラック番号とそのラック番号のラックの扉が開いている旨を送信する（ステップＳ３２）。
【００７２】
監視装置１０の制御部１０１は、通信制御部１０５を介して、ラック番号とそのラック番号のラックの扉が開いている旨を受信すると、図１６に示す開扉ラック表示画面８００を表示部１０４に表示させる（ステップＳ３３）。
【００７３】
管理者は、上記開扉ラック表示画面８００をみて、当該ラックを閉じる必要があると判断し、ラック１５を閉させるために、当該ラック番号及び扉を閉じさせる指示を、入力部１０３に入力する。
すると、監視装置１０の制御部１０１は、当該ラック番号及び扉を閉じさせる指示を通信制御部１０５を介して分散制御装置１１に送信する（ステップＳ３４）。
【００７４】
分散制御装置１１のニューロンチップ１１１は、トランシーバ１１５を介して、閉じるラック番号及び扉を閉じさせる指示を受信すると、リレー制御回路１１７に対して、閉じさせるラック１５に設けられている電磁ロックを稼働させる指示を出力する（ステップＳ３５）。
【００７５】
次に、リレー制御回路１１７は、電磁ロックを稼働させる指示を出力する。その後、電磁ロックは、ラック１５の扉を電磁的に閉じる（ステップＳ３６）。
すると、リミットスイッチは、扉が閉じたことを示す電流を入出力回路１１８に出力する（ステップＳ３７）。すると、入出力回路１１８は、ニューロンチップ１１１に当該ラック１５の扉が閉じられたことを出力する。ニューロンチップ１１１は、当該ラック１５が閉じられたことを、監視装置１０に送信する（ステップＳ３８）。
【００７６】
監視装置１０は、当該ラック１５が閉じられた旨を、分散制御装置１１を介して受信すると、表示部１０４にその旨を表示し（ステップＳ３９）、処理を終了する。
【００７７】
この実施形態の装置監視システムよれば、監視装置１０が、分散制御装置１１よりネットワーク１４を介して取得した取得した監視情報をもとにして、装置の稼働状態を検出するので、データセンタに設置されている装置を効率的に監視することができるとともに、データセンタに要する運用管理に要する費用を削減することができる。
【００７８】
また、このシステムによれば、監視装置１０は、取得した監視情報が設定した閾値以上又は以下である場合には、装置の稼働状態に対する警告を示す警告情報を表示するようにしたので、稼働状態が異常と思われる装置を早急に知ることができる。
【００７９】
また、このシステムでは、警告情報を分散制御装置１１より監視取得すると、監視装置１０は、取得した警告情報をもとにして、警告の履歴を示す警告履歴データを記憶するので、稼働状態が異常を示した装置について、その原因を知るための資料を収集することができる。
【００８０】
また、このシステムでは、制御装置が装置の稼働状態を検知する電流センサ、温度センサ、及び外部汎用機器としてのリミットスイッチ、電磁ロックをロントークプロトコルにより通信制御するので、配線の自由度を高くすることができる。
【００８１】
この実施形態の装置監視システムは、警告対象としてラックに流れる電流、及びラック内の温度であったが、これ以外として、ラックにかかる電圧をさらに加えた構成であってもよい。
この実施形態の装置監視システムは、インターネットデータセンタに使用されたシステムであったが、これ以外として、電算センタに設置されているラックに収容されているコンピュータ等の装置の稼働を監視するシステムであってもよい。
【００８２】
【発明の効果】
以上、この発明によれば、データセンタに設置されている装置を効率的に監視することができる。
【図面の簡単な説明】
【図１】この発明の実施形態に係る装置監視システムの構成を示すブロック図である。
【図２】図１中の監視装置の構成を示す図である。
【図３】図２中の制御データＤＢの構成を示す図である。
【図４】図２中の警告ログＤＢの構成を示す図である。
【図５】図２中の閾値設定リストの構成を示す図である。
【図６】図２中のフロア図記憶ファイルの構成を示す図である。
【図７】図１中の分散制御装置の構成を示す図である。
【図８】実施形態に係る装置監視システムを構成する各分散制御装置に、電流及び温度についての閾値を設定する動作を示すフローチャートである。
【図９】（ａ）処理選択画面を説明する図である。
（ｂ）閾値設定処理表示画面を説明する図である。
【図１０】実施形態に係る装置監視システムが、ラックに流れる電流または温度をトレンドする動作を示すフローチャートである。
【図１１】トレンド処理表示画面を説明する図である。
【図１２】トレンド表示画面を説明する図である。
【図１３】実施形態に係る装置監視システムが、あるラックが電流、温度が所定の閾値を超えたときに処理する動作を示すフローチャートである。
【図１４】（ａ）警告表示画面を説明する図である。
（ｂ）ラック位置表示画面を説明する図である。
【図１５】実施形態に係る装置監視システムが、汎用外部機器を制御する動作を示すフローチャートである。
【図１６】開扉ラック表示画面を説明する図である。
【符号の説明】
１０    監視装置
１０１  制御部
１０２  主記憶部
１０３  入力部
１０４  表示部
１０５  通信制御部
１０６  タイマ
１０７  外部記憶部
１１    分散制御装置
１１１  ニューロンチップ
１１２  ＲＡＭ
１１３  ＲＯＭ
１１４  ＲＴＣ
１１５  トランシーバ
１１６  Ａ／Ｄコンバータ
１１７  リレー制御回路
１１８  入出力回路
１１９  電流警告点灯ＬＥＤ
１２０  温度警告点灯ＬＥＤ
【図１】
0003776054.tif 000002
【図２】
0003776054.tif 000003
【図３】
0003776054.tif 000004
【図４】
0003776054.tif 000005
【図５】
0003776054.tif 000006
【図６】
0003776054.tif 000007
【図７】
0003776054.tif 000008
【図８】
0003776054.tif 000009
【図９】
0003776054.tif 000010
【図１０】
0003776054.tif 000011
【図１１】
0003776054.tif 000012
【図１２】
0003776054.tif 000013
【図１３】
0003776054.tif 000014
【図１４】
0003776054.tif 000015
【図１５】
0003776054.tif 000016
【図１６】
0003776054.tif 000017